(57)【特許請求の範囲】
【請求項１】
画面を表示する表示部と、
前記画面の外縁に沿って配置された複数の第１のボタンと、
第２のボタンと、
第３のボタンと、
前記画面の内縁に沿った各前記複数の第１のボタンに対応する位置に各前記複数の第１のボタンの機能を表すアイコンを表示し、前記第２のボタンの押下に応じて各前記複数の第１のボタンに割り当てられる機能及び前記表示されるアイコンを変更し、前記第３のボタンの押下に応じて前記表示制御部に対する設定画面を前記表示部の画面に表示する表示制御部と
を具備する電子機器であって、
前記表示制御部は、所定の操作に応じて、前記アイコンを小さく、前記画面内を移動可能に表示するものであり、
当該電子機器は、操作部が設けられた第１の面を有する第１の筐体と、前記第１の面と対面可能で、前記表示部が設けられた第２の面を有する第２の筐体と、前記第１の筐体と前記第２の筐体とを前記電子機器本体の背面側で回転可能に連結する円筒形状のヒンジとを有するものであり、
前記円筒形状のヒンジには、前記複数の第１のボタンが隣接して直線状に配置され、これら直線状に配置された複数の第１のボタンの一方の隣には、所定の間隔をおいて前記第２のボタンが配置され、これら直線状に配置された複数の第１のボタンの他方の隣には、所定の間隔をおいて前記第３のボタンが配置されている
電子機器。
【請求項２】
請求項１に記載の電子機器であって、
前記第１のボタンへユーザの指が近づいたかどうかを検出するデバイスを更に具備し、
前記デバイスにより前記第１のボタンにユーザの指が近づいたことが検出されたときには前記アイコンを表示し、離れたことが検出されたときには前記アイコンを非表示とする
電子機器。
【請求項３】
請求項１又は請求項２に記載の電子機器であって、
前記表示制御部は、前記第２のボタンの押下に応じて前記表示部の背景画面を変更する
電子機器。
【請求項４】
請求項１又は請求項２に記載の電子機器であって、
前記円筒形状のヒンジの一端には、円筒形状の電源スイッチユニットが配置され、
前記電源スイッチユニットの円筒端面及び外周面が、動作状況に応じて所定色が点灯、点滅するように構成されている
電子機器。
【発明の詳細な説明】
【技術分野】
【０００１】
本発明は、ノートブック型コンピュータなどの電子機器に関する。
【背景技術】
【０００２】
ノートブック型コンピュータでは、規格化されたキーボードとは別に操作用のボタンが配置されることがある。例えば、特許文献１には、表示部に設けられているＣＣＤビデオカメラで撮像するとき操作されるシャッタボタンがキーボードとは別に設けられている。
【特許文献１】特開２０００−０２０２２１号公報（段落[００１１]、図１）
【発明の開示】
【発明が解決しようとする課題】
【０００３】
このようなキーボードとは別のボタンが複数配置された場合には、それらのボタンに割り当てられた機能が分かりづらくなることがある。また、このようなボタンの数は、スペース上の制約からある程度制限される。従って、割り当てることができる機能も制限される。
【０００４】
以上のような事情に鑑み、本発明の目的は、ボタンに割り当てられた機能を直感することができ、少ないボタンで多くの機能を割り当てることができる電子機器を提供することにある。
【課題を解決するための手段】
【０００５】
本発明に係る電子機器は、表示部と、複数の第１のボタンと、第２のボタンと、表示制御部とを具備する。前記表示部は、画面を表示する。前記複数の第１のボタンは、前記画面の外縁に沿って配置されている。前記表示制御部は、前記画面の内縁に沿った各前記複数の第１のボタンに対応する位置に各前記複数の第１のボタンの機能を表すアイコンを表示し、前記第２のボタンの押下に応じて各前記複数の第１のボタンに割り当てられる機能及び前記表示されるアイコンを変更する。
【０００６】
本発明では、表示制御部が画面の内縁に沿った各複数の第１のボタンに対応する位置に各複数の第１のボタンの機能を表すアイコンを表示している。従って、ボタンに割り当てられた機能を直感することができる。  
また、表示制御部が第２のボタンの押下に応じて各複数の第１のボタンに割り当てられる機能及び表示されるアイコンを変更する。従って、少ないボタンで多くの機能を割り当てることができる。
【０００７】
前記表示制御部は、所定の操作に応じて、前記アイコンを小さく、前記画面内を移動可能に表示してもよい。  
このような表示部の画面の例えばほぼ全面に他の文書などを表示する場合にこのアイコンが邪魔にならない。特に、ノートブック型コンピュータでは、表示部の画面の全面に他の文書などを表示する機会が多いので、アイコンを小さく、画面内を移動可能に表示できることは非常に有効である。
【０００８】
前記表示制御部は、前記第２のボタンの押下に応じて前記表示部の表示状態を変更してもよい。  
第１のボタンに割り当てられる機能の変更に伴って表示部の表示状態、例えば背景画面を変更しているので、変更された機能を直感しやすくなる。
【０００９】
第３のボタンを更に具備し、前記表示制御部は、前記第３のボタンの押下に応じて前記表示制御部に対する設定画面を前記表示部の画面に表示してもよい。  
設定画面を簡単に表示でき、表示制御部に対する設定を簡単に行うことできる。
【００１０】
前記電子機器本体は、操作部が設けられた第１の面を有する第１の筐体と、前記第１の面と対面可能で、前記表示部が設けられた第２の面を有する第２の筐体と、前記第１の筐体と前記第２の筐体とを前記電子機器本体の背面側で回転可能に連結し、前記第１及び第２のボタンが設けられた円筒形状のヒンジとを有してもよい。  
円筒形状のヒンジに第１及び第２のボタンを設けることで、第１及び第２のボタンが非常に見易くなる。第１及び第２のボタンの他に第３のボタンも円筒形状のヒンジに配置すればさらに好ましい。
【発明の効果】
【００１１】
以上のように、本発明によれば、ボタンに割り当てられた機能を直感することができ、少ないボタンで多くの機能を割り当てることができる。
【発明を実施するための最良の形態】
【００１２】
以下、本発明の実施の形態を図面に基づき説明する。  
本実施形態では電子機器としてノートブック型コンピュータを一例に挙げて説明する。  
図１は本発明の一実施形態に係る電子機器の開いた状態の斜視図、図２は電子機器の閉じた状態の斜視図、図３は電子機器の開いた状態の平面図である。
【００１３】
電子機器１は、表示部２と、本体部３と、これら表示部２と本体部３とを連結するヒンジ４とを備えている。  
表示部２は、ヒンジ４を介して本体部３に対して開閉可能である。表示部２は、表示側筐体５、表示面６と、表示側筐体５内に設けられた表示処理を行う図示しない表示処理ユニットとを備えている。  
表示側筐体５は、図示しない表示処理ユニットを収容する表示部２の筐体である。表示面６は、例えば液晶表示素子からなる情報を表示するための画面であり、閉じた状態で本体部３に対面する。  
本体部３は、本体側筐体７、キーボードユニット８、マウスパッドユニット９、後述する制御部、図示しないハードディスク装置などの部品を備えている。
【００１４】
本体側筐体７は、本体部３の筐体であり、円筒状の連結部４ａを２個有する。キーボードユニット８は、例えば複数のキー等を備えており、電子機器１の入力部として機能する。マウスパッドユニット９は、マウスパッド９ａと、左クリックボタン９ｂと、右クリックボタン９ｃとを備えており、電子機器１の入力部として機能する。制御部は、本体側筐体７内の多層プリント配線板に実装されている。制御部は、キーボードユニット８などからの入力信号を受けて、演算処理、制御処理、画像処理、表示部２への出力処理などの各種処理を行い、この電子機器１の実質的な機能上の本体として機能する。
【００１５】
ヒンジ４は、Ｙ方向の両側において、本体部３に固定された連結部４ａと、表示部２に形成された連結部４ｂとが回動自在に連結されることで構成されている。ヒンジ４の軸方向（図１のＹ方向）の右端の連結部４ａには、電源スイッチユニット１０が配置されている。電源スイッチユニット１０は、例えば本体側筐体７に固定されている。電源スイッチユニット１０は、その円筒端面及び外周面が動作状況に応じて青色やオレンジ色に点灯や点滅するように構成されている。
【００１６】
ヒンジ４は、Ｙ方向両側に配置された連結部４ａ、４ｂ間に連絡部４ｃを有する。ヒンジ４は、これらの連結部４ａ、４ｂ及び連絡部４ｃによって外観上ほぼ一体的な円柱形状をなしている。
【００１７】
連絡部４ｃの中央の上部には、例えば５個のプログラマブルボタン（第１のボタン）１１ａ〜１１ｅが隣接して直線状に配置されている。プログラマブルボタン１１ａ〜１１ｅの左隣りには、それぞれのプログラマブルボタン１１ａ〜１１ｅに割り当てられた複数の機能を切り替え操作するためのモードボタン（第２のボタン）１２が配置されている。プログラマブルボタン１１ａ〜１１ｅの右隣りには、ユーザがオプションを選択するための設定画面を呼び出すためのセッティングボタン（第３のボタン）１３が配置されている。
【００１８】
このようにヒンジ４にプログラマブルボタン１１ａ〜１１ｅ、モードボタン１２及びセッティングボタン１３に配置することにより、これらのボタンが非常に見易く、しかも押し易いものとなる。
【００１９】
なお、各プログラマブルボタン１１ａ〜１１ｅは隣接するように配置されているのに対して、プログラマブルボタン（第１のボタン）１１ａ〜１１ｅとモードボタン１２との間隔及びプログラマブルボタン１１ａ〜１１ｅとセッティングボタン１３との間隔はある程度ある。これにより、プログラマブルボタン（第１のボタン）１１ａ〜１１ｅとモードボタン１２又はセッティングボタン１３との違いが明確になり、操作性が向上する。
【００２０】
表示面６には、表示状態において、その下部の内縁に沿って５つの機能アイコン１４ａ〜１４ｅが表示される。各機能アイコン１４ａ〜１４ｅは、各プログラマブルボタン１１ａ〜１１ｅに対応する位置に表示される。つまり、例えばプログラマブルボタン１１ａの上方にはこのプログラマブルボタン１１ａに設定された機能を示す機能アイコン１４ａが表示される。他の機能アイコン１４ｂ〜１４ｅについても同様の表示が行われる。
【００２１】
セッティングボタン１３によって呼び出された設定画面上では下記の機能を各プログラマブルボタン１１ａ〜１１ｅに割り当てることができる。
（１）消音、スピーカ音量変更、表示ディスプレイ切り替え等のシステム操作
（２）ユーザがシステムにインストールしたアプリケーションソフト
（３）システムに保存されているすべてのファイル（アプリケーションソフト、画像、映像、文書）
（４）ユーザがシステムに保存したウェブページのアドレス
機能アイコン１４ａ〜１４ｅへのドラッグアンドドロップにより各プログラマブルボタン１１ａ〜１１ｅに機能を設定することが可能である。すなわち、下記の機能又は連動したアプリケーションを機能アイコン１４ａ〜１４ｅへのドラッグアンドドロップ操作により割り当てることができる。
（１）システムに保存されているすべてのファイル（アプリケーションソフト、画像、映像、文書）のアイコン
（２）ウェブブラウザのアドレス欄に表示されるリンクアイコン
各プログラマブルボタン１１ａ〜１１ｅにアプリケーション以外のファイルが割り当てられた場合、ＯＳ（オペレーティングシステム）がその種類のファイルに指定するアプリケーション又はユーザが指定したアプリケーションにより閲覧、再生等を行うことができる。例えば、音楽再生用のアプリケーションが複数存在する場合には、ユーザの指定する音楽再生用のアプリケーションによって音楽ファイルを再生することができる。その場合、音楽再生用のアプリケーション自体を指定してもよいが、音楽ファイル毎に音楽再生用のアプリケーションを指定してもよい。
【００２２】
機能アイコン１４ａ〜１４ｅの表示形態としては、図１又は図２に示した固定位置に表示する他に、縮小して表示位置を画面内で変更することも可能である。これは、機能アイコン１４ａ〜１４ｅの近傍に付属する拡大／縮小マーク１５を操作して切り替え可能である。
【００２３】
機能アイコン１４ａ〜１４ｅは、下記の表示状態を取ることができ、設定画面で選択可能である。
（１）ユーザのウィンドウ操作に従って前後させる表示（他のシステム上で動作するアプリケーションと同様の動作）
（２）強制的に常に最前面に表示
（３）一定時間後に自動的に非表示
なお、各プログラマブルボタン１１ａ〜１１ｅにユーザの指の接近もしくは接触を検知するデバイスを用いた場合、自動的に近づいたとき表示し、離れたら非表示とすることも選択可能である。
【００２４】
モードボタン１２の押下により各プログラマブルボタン１１ａ〜１１ｅに割り当てられた機能を一括して切り替えることができるが、同時に下記の動作も行うことができる。
（１）システム設定の切り替え
（２）デスクトップの表示状態（壁紙、アイコンの位置・数、ウィンドウの大きさ・位置）、起動しているアプリケーションソフト、ハードウェア制御（音量設定、ディスプレイの明るさ設定）等
（３）システム動作・アプリケーションソフト起動
（４）サウンド・画像・映像の再生・表示、アプリケーションソフトの起動
なお、ユーザが起動したアプリケーションソフトや挿入されたメディア等に応じて、設定された機能を自動的に切り替えることが可能である。
【００２５】
次に、このような機能を実現するための構成を説明する。  
図４は図１〜図３に示した電子機器１の概略的構成を示すブロック図である。  
電子機器１は、表示面６に画面を表示する表示部２と、キーボードユニット８と、マウスパッドユニット９と、プログラマブルボタン１１ａ〜１１ｅと、モードボタン１２と、セッティングボタン１３と、表示制御部１６を有する制御部１７とを有する。
【００２６】
制御部１７は、電子機器１の全体を統括的に制御する。表示制御部１６は、各入力部（キーボードユニット８、マウスパッドユニット９、プログラマブルボタン１１ａ〜１１ｅ、モードボタン１２、セッティングボタン１３）からの入力に応じて表示面６での画面の表示を制御する。
【００２７】
図５〜図２３はこのように構成された電子機器１の動作を示すフローチャートである。  
図２４〜図４３は表示面６に表示される画面の例を示す図である。  
電子機器１を起動したとき（図５）には、図２４に示すように、出荷時初期状態としてデスクトップの下部、本体の各プログラマブルボタン１１ａ〜１１ｅの上部側に機能アイコン１４ａ〜１４ｅが表示される（ステップ５０１）。
【００２８】
アイコン表示処理（図６）では、プログラマブルボタン１１ａ〜１１ｅの表示設定形態は図２４に示した通り固定である（ステップ６０１、６０２）が、機能アイコン１４ａ〜１４ｅの近傍に付属する拡大／縮小マーク１５をクリックして切り替えると（ステップ６０１、６０３）、機能アイコン１４ａ〜１４ｅは縮小して表示される（図２５）。縮小して表示された機能アイコン１４ａ〜１４ｅはドラックアンドドロップにより画面内を移動可能である（図２６）。これにより例えば別のファイルやウエブページ（他のウィンドウ）を開いているときに機能アイコン１４ａ〜１４ｅの表示が邪魔にならない大きさで、邪魔にならない位置に移動させることができる。
【００２９】
機能アイコン１４ａ〜１４ｅは設定画面による設定によって最前面表示することも可能である（ステップ６０４、６０５）。その後、イベント処理に進む（ステップ６０６）。
【００３０】
イベント処理（図７）では、まずタイマー値が初期化され（ステップ７０１）、以下の処理が実行される。  
（１）ボタン操作があればボタンイベント処理（ステップ７０２、７０３）
（２）マウス操作がればマウスイベント処理（ステップ７０４、７０５）
（３）タイマーが一定値を超過すればタイマーイベント処理（ステップ７０６、７０７）
ステップ７０７において、タイマーが一定時間を超過しない限り、他のウィンドウが画面の前面にあって機能アイコン１４ａ〜１４ｅが最前面表示の設定がされていれば（ステップ７０８、７０９）、アイコン表示処理（図６）に戻る。そうでなければ、システムが終了されない限り、ステップ７０２に戻る（ステップ７１０）。
【００３１】
ボタンイベント処理（図８）では、以下の処理が実行される。
（１）プログラマブルボタン１１ａ〜１１ｅが押下されれば図２７に示すような機能起動処理（ステップ８０１、８０２）
（２）モードボタン１２が押下されれば図２８に示すようなモード切り替え処理（ステップ８０３、８０４）
（３）セッティングボタン１３が押下されれば図２９に示すような設定画面起動処理（ステップ８０５、８０６）
いずれのボタンも押下されなければイベント処理（ステップ６０６）に戻る。
【００３２】
マウスイベント処理（図９）では、以下の処理が行われる。
（１）マウス操作によって機能アイコン１４ａ〜１４ｅにアイコン（機能対象物）がドラックアンドドロップされれば機能変更処理（ステップ９０１、９０２）
（２）マウス操作によって機能アイコン１４ａ〜１４ｅがクリックされれば図２７に示すような機能起動処理（ステップ９０３、８０２）
また、マウスイベント処理（図９）では、機能アイコン１４ａ〜１４ｅの表示形態が図２４に示した固定表示状態か図２５や図２６に示した移動縮小状態か（ステップ９０４）によって以下の処理が実行される。  
すなわち、図２４に示した固定表示状態で拡大／縮小マーク１５がクリックされる（ステップ９０５）と、機能アイコン１４ａ〜１４ｅの表示形態が移動縮小状態にされる（ステップ９０６）。その後、アイコン表示処理（Ｓ５０１）に戻る。図２４に示した固定表示状態で拡大／縮小マーク１５がクリックされない（ステップ９０５）と、イベント処理（ステップ６０６）に戻る。  
一方、図２５や図２６に示した移動縮小状態で拡大／縮小マーク１５がクリックされる（ステップ９０７）と、機能アイコン１４ａ〜１４ｅの表示形態が固定表示状態に表示される（ステップ９０８）。その後、アイコン表示処理（Ｓ５０１）に戻る。図２５や図２６に示した移動縮小状態で拡大／縮小マーク１５がクリックされず（ステップ９０７）に、マウスパッドユニット９の左クリックボタン９ｂでこの機能アイコン１４ａ〜１４ｅがドラッグされる（ステップ９０９）と、左クリックボタン９ｂを離した位置に機能アイコン１４ａ〜１４ｅが移動して表示される（ステップ９１０）。例えば図２５から図２６のように移動して表示される。その後、イベント処理（ステップ６０６）に戻る。
【００３３】
タイマーイベント処理（図１０）では、一定時間後非表示設定がオンかオフかが判断される（ステップ１００１）。一定時間後非表示設定がオンの場合には、タイマーが一定値を超過するまで機能アイコン１４ａ〜１４ｅが非表示にされる（ステップ１００２）。その後、イベント処理（ステップ６０６）に戻る。これにより、画面全体に動画などを表示したいような場合に、機能アイコン１４ａ〜１４ｅを一時的に非表示することができる。
【００３４】
機能変更処理（図１１）では、マウスパッドユニット９の左クリックボタン９ｂで機能アイコン１４ａ〜１４ｅにドラックアンドドロップされた機能を現在の機能に割り当てる（ステップ１１０１）。その後、アイコン表示処理に戻る（ステップ５０１）。
【００３５】
機能起動処理（図１２）では、押下された機能アイコン１４ａ〜１４ｅに対して現在割り当てられている機能を呼び出す（ステップ１２０１）。そして、図２７に示すようなその割り当てられた機能を実行する（ステップ１２０２）。図２７は押下されたプログラマブルボタン１１ａ〜１１ｅに「メモ帳」の機能が割り当てられており、「メモ帳」が起動された例を示している。その後、イベント処理（ステップ６０６）に戻る。
【００３６】
モード切り替え処理（図１３）では、モードボタン１２の押下に応じて次のモードを現在のモードに変更する（ステップ１３０１）。壁紙の切り替えがオンに設定されている場合には（ステップ１３０２）、壁紙を現在のモードのものに変更する（ステップ１３０３）。このようにモードの変更に伴って壁紙などを変更することで、ユーザは現在のモードを直感できるようになり、操作性が向上する。その後、アイコン表示処理に戻る（ステップ５０１）。
【００３７】
設定画面起動処理（図１４）では、セッティングボタン１３の押下に応じて機能アイコン１４ａ〜１４ｅを非表示にし、図２９に示すような設定画面を起動して表示する（ステップ１４０１）。その後、設定画面イベント処理に進む（ステップ１４０２）。
【００３８】
設定画面イベント処理（図１５）では、以下の処理が実行される。  
（１）設定画面でヘルプのリンクがクリックされるとヘルプ表示処理（ステップ１５０１、１５０２）
（２）設定画面でチュートリアルのリンクがクリックされるとチュートリアル表示処理（ステップ１５０３、１５０４）
（３）設定画面でモード選択がされるとモード選択処理（ステップ１５０５、１５０６）
（４）設定画面で壁紙の変更が選択されると壁紙選択処理（ステップ１５０７、１５０８）
（５）設定画面で機能アイコンがクリックされると機能選択処理（ステップ１５０９、１５１０）
（６）設定画面でカスタマイズがクリックされると登録名称更新処理（ステップ１５１１、１５１２）
（７）設定画面で表示設定のチェックが変更されると表示設定更新処理（ステップ１５１３、１５１４）
（８）設定画面で初期設定に戻すが選択されると初期設定適用処理（ステップ１５１５、１５１６）
ここで、設定画面でＯＫが選択されると一時保存した設定が適用され、設定画面が非表示とされる（ステップ１５１７、１５１８）。また、設定画面でキャンセルが選択されると一時保存した設定が破棄され、設定画面が非表示とされる（ステップ１５１９、１５２０）。その後、アイコン表示に戻る（ステップ５０１）。
【００３９】
ヘルプ表示処理（図１６）では、図３０に示すようなヘルプの表示が行われる（ステップ１６０１）。その後、設定画面イベント処理に戻る（ステップ１３０２）。
【００４０】
チュートリアル表示処理（図１７）では、図３１に示すようなチュートリアルの表示が行われる（ステップ１７０１）。その後、設定画面イベント処理に戻る（ステップ１３０２）。
【００４１】
モード選択処理（図１８）では、図３２に示すような選択したモードの設定が表示される（ステップ１８０１）。設定画面上で「モード設定」のリストボックスから変更したモードを選択し指定すると、設定画面上にそのモードでの設定値が表示され、変更できるようになる。その後、設定画面イベント処理に戻る（ステップ１３０２）。
【００４２】
壁紙選択処理（図１９）では、設定画面において壁紙の候補となるコンピュータ内のファイルが指定されると図３３に示すようにそれがウィンドウに表示される（ステップ１９０１）。設定画面において「キャンセル」がクリックされる（ステップ１９０２）と、そのウィンドウは閉じられる（ステップ１９０３）。「キャンセル」されずにウィンドウにおいてファイル名が指定され、「開く」がクリックされる（ステップ１９０４）と、設定画面上の壁紙にその画面が表示され、設定が一時保存される（ステップ１９０５）。その後、設定画面イベント処理に戻る（ステップ１３０２）。
【００４３】
機能選択処理（図２０）では、図３４に示すような機能を指定するウィンドウが表示される（ステップ２００１）。そのウィンドウで、メニュータブがクリックされると（ステップ２００２）、選択されたメニュー内容が機能指定するウィンドウに表示される（ステップ２００３）。なお、メニューには、図３５に示すようなおすすめ機能、図３６に示すようなスタートメニュー、図３７に示すようなお気に入り、図３８に示すようなエクスプローラがある。
【００４４】
メニュータブがクリックされずに「キャンセル」がクリックされる（ステップ２００４）と、機能を指定するウィンドウが非表示にされる（ステップ２００５）。一方、機能が指定され、「ＯＫ」がクリックされる（ステップ２００６）と、設定画面上のアイコンにその機能が表示され、設定が一時保存される（ステップ２００７）。その後、設定画面イベント処理に戻る（ステップ１３０２）。
【００４５】
登録名称更新処理（図２１）では、図３９に示すような名称を登録するウィンドウが表示される（ステップ２１０１）。このウィンドウで「キャンセル」がクリックされる（ステップ２１０２）と、このウィンドウが非表示にされる（ステップ２１０３）。一方、モード名、名称、パスが入力され、このウィンドウの「ＯＫ」がクリックされる（ステップ２１０４）と、図４０に示すようなモード名、図４１に示すような名称、図４２に示すようなパスが一時保存される（ステップ２１０５）。その後、設定画面イベント処理に戻る（ステップ１３０２）。
【００４６】
表示設定更新処理（図２２）では、表示設定が一時保存される（ステップ２２０１）。その後、設定画面イベント処理に戻る（ステップ１３０２）。
【００４７】
初期設定適用処理（図２３）では、図４３に示すような意思を確認するウィンドウが表示される（ステップ２３０１）。このウィンドウで「キャンセル」がクリックされる（ステップ２３０２）と、このウィンドウが非表示にされる（ステップ２３０３）。一方、このウィンドウの「ＯＫ」がクリックされる（ステップ２３０４）と、全設定値に出荷時初期設定が適用され、設定画面上の表示が新設定値に従って更新される（ステップ２３０５）。その後、設定画面イベント処理に戻る（ステップ１３０２）。
【００４８】
本実施形態では、画面の内縁に沿ったプログラマブルボタン１１ａ〜１１ｅに対応する位置に機能アイコン１４ａ〜１４ｅを表示している。従って、プログラマブルボタン１１ａ〜１１ｅに割り当てられた機能を直感することができ、操作性が向上する。また、モードボタン１２の押下に応じてプログラマブルボタン１１ａ〜１１ｅに割り当てられる機能及び表示される機能アイコン１４ａ〜１４ｅを変更している。従って、少ないプログラマブルボタン１１ａ〜１１ｅで多くの機能を割り当てることができる。特に、ノートブック型コンピュータのように操作部の面積をできるだけ小さくしたいとの要請の強い電子機器に対しては、本発明を適用することは極めて有用である。
【００４９】
また、本実施形態では、設定画面を使ってプログラマブルボタン１１ａ〜１１ｅや機能アイコン１４ａ〜１４ｅに対する設定の変更や新たな設定などを行うことができる。この設定画面は、セッティングボタン１３を押下することで簡単に画面上に表示させることができる。従って、これらの設定の変更や新たな設定を簡単に行うことができる。
【００５０】
本発明は、上記の実施形態に限定されない。本発明は、その技術思想の範囲内で様々に変形して実施することが可能である。その実施の範囲は、本発明の技術的範囲に属するものである。
【００５１】
例えば、上記の実施形態では、電子機器の一例としてノートブック型コンピュータを挙げたが、コンピュータなどに使われる表示装置や携帯電話、音楽再生機器などの電子機器にも本発明は適用可能である。
【図面の簡単な説明】
【００５２】
【図１】本発明の一実施形態に係る電子機器の開いた状態の斜視図である。
【図２】図１に示した電子機器の閉じた状態の斜視図である。
【図３】図１に示した電気機器の平面図である。
【図４】本発明の一実施形態に係る電子機器の概略的構成を示すブロック図である。
【図５】本発明の一実施形態に係る電子機器における開始処理の動作を示すフローチャートである。
【図６】本発明の一実施形態に係る電子機器におけるアイコン表示処理の動作を示すフローチャートである。
【図７】本発明の一実施形態に係る電子機器におけるイベント処理の動作を示すフローチャートである。
【図８】本発明の一実施形態に係る電子機器におけるボタンイベント処理の動作を示すフローチャートである。
【図９】本発明の一実施形態に係る電子機器におけるマウスイベント処理の動作を示すフローチャートである。
【図１０】本発明の一実施形態に係る電子機器におけるタイマーイベント処理の動作を示すフローチャートである。
【図１１】本発明の一実施形態に係る電子機器における機能変更処理の動作を示すフローチャートである。
【図１２】本発明の一実施形態に係る電子機器における機能起動処理の動作を示すフローチャートである。
【図１３】本発明の一実施形態に係る電子機器におけるモード切り替え処理の動作を示すフローチャートである。
【図１４】本発明の一実施形態に係る電子機器における設定画面起動処理の動作を示すフローチャートである。
【図１５】本発明の一実施形態に係る電子機器における設定画面イベント処理の動作を示すフローチャートである。
【図１６】本発明の一実施形態に係る電子機器におけるヘルプ表示処理の動作を示すフローチャートである。
【図１７】本発明の一実施形態に係る電子機器におけるチュートリアル表示処理の動作を示すフローチャートである。
【図１８】本発明の一実施形態に係る電子機器におけるモード選択処理の動作を示すフローチャートである。
【図１９】本発明の一実施形態に係る電子機器における壁紙選択処理の動作を示すフローチャートである。
【図２０】本発明の一実施形態に係る電子機器における機能選択処理の動作を示すフローチャートである。
【図２１】本発明の一実施形態に係る電子機器における登録名称変更処理の動作を示すフローチャートである。
【図２２】本発明の一実施形態に係る電子機器における表示設定変更処理の動作を示すフローチャートである。
【図２３】本発明の一実施形態に係る電子機器における初期設定適用処理の動作を示すフローチャートである。
【図２４】本発明の一実施形態に係る電子機器における起動したときの画面を示す図である。
【図２５】本発明の一実施形態に係る電子機器におけるアイコン表示形態を縮小したときの画面を示す図である。
【図２６】本発明の一実施形態に係る電子機器における縮小アイコンを移動したときの画面を示す図である。
【図２７】本発明の一実施形態に係る電子機器における機能を起動したときの画面を示す図である。
【図２８】本発明の一実施形態に係る電子機器におけるモード変更を行ったときの画面を示す図である。
【図２９】本発明の一実施形態に係る電子機器における設定画面を呼び出したときの画面を示す図である。
【図３０】本発明の一実施形態に係る電子機器におけるヘルプを起動したときの画面を示す図である。
【図３１】本発明の一実施形態に係る電子機器におけるチュートリアルを起動したときの画面を示す図である。
【図３２】本発明の一実施形態に係る電子機器における設定画面上でモードを選択したときの画面を示す図である。
【図３３】本発明の一実施形態に係る電子機器における設定画面上で壁紙の変更をしたときの画面を示す図である。
【図３４】本発明の一実施形態に係る電子機器における設定画面上で機能を変更したときの画面を示す図である。
【図３５】本発明の一実施形態に係る電子機器における設定画面上で機能を変更したときに使われるおすすめ機能の画面を示す図である。
【図３６】本発明の一実施形態に係る電子機器における設定画面上で機能を変更したときに使われるスタートメニューの画面を示す図である。
【図３７】本発明の一実施形態に係る電子機器における設定画面上で機能を変更したときに使われるお気に入りの画面を示す図である。
【図３８】本発明の一実施形態に係る電子機器における設定画面上で機能を変更したときに使われるエクスプローラの画面を示す図である。
【図３９】本発明の一実施形態に係る電子機器における設定画面上で機能の登録名称を変更したときの画面を示す図である。
【図４０】本発明の一実施形態に係る電子機器における設定画面上で機能の登録名称を変更するときに使われるモード名の画面を示す図である。
【図４１】本発明の一実施形態に係る電子機器における設定画面上で機能の登録名称を変更するときに使われる名称の画面を示す図である。
【図４２】本発明の一実施形態に係る電子機器における設定画面上で機能の登録名称を変更するときに使われるパスの画面を示す図である。
【図４３】本発明の一実施形態に係る電子機器における設定画面上で初期設定に戻したときの画面を示す図である。
【符号の説明】
【００５３】
１  電子機器
２  表示部
３  本体部
４  ヒンジ
６  表示面
８  キーボードユニット
９  マウスパッドユニット
１１ａ〜１１ｅ  プログラマブルボタン
１２  モードボタン
１３  セッティングボタン
１４ａ〜１４ｅ  機能アイコン
１５  拡大／縮小マーク
１６  表示制御部
１７  制御部
【図１】
0004557048.tif 000002
【図２】
0004557048.tif 000003
【図３】
0004557048.tif 000004
【図４】
0004557048.tif 000005
【図５】
0004557048.tif 000006
【図６】
0004557048.tif 000007
【図７】
0004557048.tif 000008
【図８】
0004557048.tif 000009
【図９】
0004557048.tif 000010
【図１０】
0004557048.tif 000011
【図１１】
0004557048.tif 000012
【図１２】
0004557048.tif 000013
【図１３】
0004557048.tif 000014
【図１４】
0004557048.tif 000015
【図１５】
0004557048.tif 000016
【図１６】
0004557048.tif 000017
【図１７】
0004557048.tif 000018
【図１８】
0004557048.tif 000019
【図１９】
0004557048.tif 000020
【図２０】
0004557048.tif 000021
【図２１】
0004557048.tif 000022
【図２２】
0004557048.tif 000023
【図２３】
0004557048.tif 000024
【図２４】
0004557048.tif 000025
【図２５】
0004557048.tif 000026
【図２６】
0004557048.tif 000027
【図２７】
0004557048.tif 000028
【図２８】
0004557048.tif 000029
【図２９】
0004557048.tif 000030
【図３０】
0004557048.tif 000031
【図３１】
0004557048.tif 000032
【図３２】
0004557048.tif 000033
【図３３】
0004557048.tif 000034
【図３４】
0004557048.tif 000035
【図３５】
0004557048.tif 000036
【図３６】
0004557048.tif 000037
【図３７】
0004557048.tif 000038
【図３８】
0004557048.tif 000039
【図３９】
0004557048.tif 000040
【図４０】
0004557048.tif 000041
【図４１】
0004557048.tif 000042
【図４２】
0004557048.tif 000043
【図４３】
0004557048.tif 000044